(57)【要約】      （修正有）【課題】カバン表面にティッシュペーパー取り出し口とウェットティッシュ取り出し口が付いている、車輪付き手押し車用多用途バッグを提供する。【解決手段】カバン側面に接続ベルト２を設け、車いすやベビーカーに容易に着脱できるようにし、カバン表面にティッシュ取り出し部５とウエットティッシュ取り出し部６を設け、介護や子供の世話をする際によく使うティッシュやウエットティッシュをカバンの中に手を入れることなく容易にスピーディーに取りだし可能にしている。またカバン内側、外側にポケット１１、１２がある為、書類や小物が整然と持ち運びでき、車いすやベビーカーを押す人の負担軽減に役立つ。【選択図】図６
0003224036.tif 000002
【実用新案登録請求の範囲】
【請求項１】
通常は自分使いの手荷物カバンとして、また介護する際は車いすやベビーカーのハンドルに着脱できる接続部を設けるとともに、カバン表面にティッシュペーパー取り出し口とウエットティッシュ取り出し口が付いていることを特徴とする車輪付き手押し車用多用途バッグ。
【考案の詳細な説明】
【技術分野】
【０００１】  本考案は、車輪付き手押し車に着脱することのできるカバンに関するものである。
【先行技術文献】
【特許文献】
【０００２】
【特許文献１】特開平１０−４２９２８号公報
【考案の概要】
【考案の詳細な説明】
【０００３】  本考案は容易に車いすやベビーカーに着脱可能で、普段は日常使いのカバンとして使用でき、介護する際や子供との外出の際には車いすやベビーカーに装着できるカバンである。さらにカバンには箱なしティッシュペーパーがそのまま入るポケットがあり、カバン表面にティッシュペーパー取り出し口が付いているため、さっと簡単にティッシュペーパーが使える。またウエットティッシュが入るポケットも付いており、ティッシュペーパー取り出し口の隣にウエットティッシュ取り出し口が付いているため、こちらも必要に応じて容易にウエットティッシュやおしりふきが取り出せ、使える。
【０００４】  ティッシュペーパーやウエットティッシュの取り出し口がカバン表面についているため、介護の際も育児の際もバッグの中からわざわざティッシュペーパーやウエットティッシュを取り出さずに済み、片手でさっとティッシュペーパーやウエットティッシュが取り出せ、大変便利で使いやすい構造になっている。カバン側面の左右には開閉可能なバックル付きのベルトが付いているため、車いすやベビーカーのハンドル部分に容易に着脱できる。車いすやベビーカーを押す人は、自分の荷物をベビーカーに装着できるため、肩掛けカバンやリュックのように体に肩にかけたり、背負ったりせずに負荷がかからず楽で、さらに必要なものを取り出す際も、目の前のカバンから簡単に取り出すことが出来、大変便利である。
【０００５】  カバン内部の側面にはスマートフォンや小物を入れることが出来るポケットがついており、また鍵の紛失を防ぐためのキーリングも付いている。カバン内部の反対側側面には、Ａ４サイズの書類や冊子を入れることが出来るポケットも付いており、荷物を整然と入れることが出来る構造である。カバン外側側面には左右にポケットがついており、折り畳み傘や、使用済みのティッシュペーパーなどのごみが入れられるようになっている。
【考案が解決しようとする課題】
【０００６】  介護をしたり、育児をする際には、車いすやベビーカーを押すことが多々あるが、自分の荷物を肩に掛けたり、リュックを背負ったまま車いすやベビーカーを押すのは体に負担があった。また介護の際や育児の際は、介護される人や子供の口元、手などをティッシュペーパーやウエットティッシュでふき取ることが多いが、カバンの中からその都度ティッシュペーパーやウエットティッシュを取り出すことは手間であった。また買い物をする際に、車いすやベビーカーのハンドルを握りながらリュックなどから財布などを取り出すことも取り出しにくいなど手間であった。
【０００７】  車いすやベビーカーに自分の荷物を装着できれば体への負担が減り、目の前にある車いすに装着されたカバンから財布などの必要なものを取り出すことも容易である。またカバン表面に片手で取り出せるティッシュペーパー取り出し口やウエットティッシュ取り出し口があれば簡単にティッシュペーパーなどを使用でき、前述の問題を解決しようとするものである。
【課題を解決するための手段】
【０００８】  本考案はカバン側面に車いすやベビーカーに接続する結合部分を設け、普段使いのカバンをそのまま車いすやベビーカーにつけられるようにし、世話をする人の荷物の負担を無くしている。またティッシュペーパーやウエットティッシュ取り出し口をカバン表面に設けることにより、すぐにティッシュペーパーやウエットティッシュを容易に取り出せ問題点を解決している。
【考案の効果】
【０００９】  車いすやベビーカーを押す際に介護人や子育て中の人は、自分のカバンを車いすやベビーカーに簡単に装着したいという希望があった。また車いすやベビーカーを押している時にティッシュペーパーやウエットティッシュを使う際もその都度カバンの中から出すのが手間だという意見があった。この車輪付き手押し車用多用途バッグを車いすやベビーカーに装着すれば、介護人や子育て中の人の体への負担を軽減することができ、また必要に応じてティッシュペーパーやウエットティッシュが容易に取り出せ、介護や育児のストレスを減らすことが出来、荷物をカバンから取り出す際も便利である。本多用途バッグを車いすやベビーカーに装着すれば多数の利点がある。
【図面の簡単な説明】
【００１０】
【図１】本考案の正面図
【図２】本考案の斜視図
【図３】本考案の内側図
【図４】本考案の内側図
【図５】本考案の装着図
【図６】本考案の使用図
【考案を実施するための形態】
【００１１】  次に図を用いて効果を得られる形態の実施例を説明する。
【実施例】
【００１２】  図６は本考案の車輪付き手押し車用多用途バッグの実施例を示す斜視図である。２は接続ベルト、４はファスナー、５はティッシュペーパー取り出し部、６はウエットティッシュ取り出し部である。【００１３】  車輪付き手押し車用多用途バッグの接続ベルト２で車いすやベビーカーにカバンを着脱する。車いすには２をそのままハンドルにかければよいが、ベビーカーに着脱する場合は接続ベルト２を開閉してハンドルに着脱する。ティッシュペーパーやウエットティッシュを取り出す際は、ティッシュ・ウエットティッシュ取り出し部被せ部３を上げてティッシュペーパー取り出し部５やウエットティッシュ取り出し部６から取り出す。使い終わったティッシュペーパーやウエットティッシュは外側ポケット１１または１２に収納できる。カバン持ち手１は肩にも掛けられる長さがあり使いやすく、内側ポケット７、８、９やキーリング１０が内側にある為荷物が整理でき便利である。
【産業上の利用可能性】
【００１４】介護業界やベビー商品の業界で利用できる。
【符号の説明】
【００１５】１カバン持ち手
２接続ベルト
３ティッシュ・ウエットティッシュ取り出し部被せ部
４ファスナー
５ティッシュペーパー取り出し部
６ウエットティッシュ取り出し部
７内側ポケット
８内側ポケット
９内側ポケット
１０キーリング
１１外側ポケット
１２外側ポケット
【図１】
0003224036.tif 000003
【図２】
0003224036.tif 000004
【図３】
0003224036.tif 000005
【図４】
0003224036.tif 000006
【図５】
0003224036.tif 000007
【図６】
0003224036.tif 000008